(57)【要約】【課題】ユーザの手がケースの外面に触れることを簡単な構成によって防ぐと共に、ユーザの手が触れる部分の温度上昇を抑える。【解決手段】吸着ユニットは、円板状に形成されるフィルタと、フィルタの一部に対向して配置される放熱板と、放熱板を加熱することにより放熱板を介してフィルタの一部を加熱するヒータと、ヒータ及び放熱板を覆って加熱空間を形成するケースと、ケースの外面を覆って設けられ、外面との間に断熱空間を形成するガード部材と、を備える。【選択図】図１０
2019111297.tif 000002
【特許請求の範囲】
【請求項１】
円板状に形成されるフィルタと、
前記フィルタの一部に対向して配置される放熱板と、
前記放熱板を加熱することにより前記放熱板を介して前記フィルタの一部を加熱するヒータと、
前記ヒータ及び前記放熱板を覆って加熱空間を形成するケースと、
前記ケースの外面を覆って設けられ、前記外面との間に断熱空間を形成するガード部材と、
を備える吸着ユニット。
【請求項２】
前記ガード部材には、前記ケースの前記外面に接することによって前記断熱空間を形成する当接部が設けられている、
請求項１に記載の吸着ユニット。
【請求項３】
前記ケースの内部は、前記加熱空間と、前記加熱空間と仕切壁で仕切られた第２空間と、を有し、
前記ガード部材の前記当接部は、前記第２空間に対向する前記ケースの内面の裏側の外面に接する、
請求項２に記載の吸着ユニット。
【請求項４】
前記ガード部材の前記当接部は、前記フィルタの厚み方向から前記フィルタを見たときに、前記ヒータを前記フィルタに投影した範囲と重ならない位置に設けられている、
請求項２または３に記載の吸着ユニット。
【請求項５】
前記ケースは、対向する一組の前面部及び背面部と、前記前面部と前記背面部とを連結する端面部と、を有し、
前記ガード部材は、前記前面部に対向する第１面と、前記背面部に対向する第２面と、前記第１面と前記第２面とを連結する連結部とを有する、
請求項１ないし４のいずれか１項に記載の吸着ユニット。
【請求項６】
前記ケースの前記外面に対向する、前記ガード部材の対向面には、前記外面に向かって突出する凸部が形成され、前記凸部の先端は、前記外面に非接触である、
請求項１ないし５のいずれか１項に記載の吸着ユニット。
【請求項７】
前記ガード部材は、当該ガード部材の外部から前記断熱空間へと連通する複数の貫通穴を有する、
請求項１ないし６のいずれか１項に記載の吸着ユニット。
【請求項８】
請求項１ないし７のいずれか１項に記載の吸着ユニットを備え、
前記フィルタは、空気が通過することにより前記空気に含有される臭気成分を吸着し、加熱されることにより前記臭気成分を分解する、
空気清浄機。
【発明の詳細な説明】
【技術分野】
【０００１】
本発明は、吸着ユニット及び空気清浄機に関する。
【背景技術】
【０００２】
従来、室内の空気を脱臭フィルタに通過させることにより、空気に含まれる臭気成分を脱臭フィルタに吸着させ、脱臭フィルタを加熱することにより、脱臭フィルタの脱臭能力を再生させる空気清浄機が知られている。このような空気清浄機のなかには、脱臭フィルタが回転可能に設けられると共に、脱臭フィルタの一部を、放熱板によって加熱する吸着ユニットを備える空気清浄機が知られている。
【０００３】
関連技術の吸着ユニットとしては、脱臭フィルタに対向して配置される放熱板と、放熱板を介して脱臭フィルタを加熱するヒータと、ヒータ及び放熱板を覆って加熱空間を形成するケースと、を有するものがある。
【先行技術文献】
【特許文献】
【０００４】
【特許文献１】特開２０１６−４９４０３号公報
【発明の概要】
【発明が解決しようとする課題】
【０００５】
空気清浄機では、例えば、吸着ユニットが集塵ユニットに隣接して配置されており、集塵ユニットを清掃する際に集塵ユニットを空気清浄機から取り外したとき、集塵ユニットが収容されていた空間内へユーザの手が挿入される場合がある。このような場合、空気清浄機の使用直後に高温になっている吸着ユニットのケースの外面に、ユーザの手が触れるおそれがある。
【０００６】
開示の技術は、上記に鑑みてなされたものであって、ユーザの手がケースの高温となる外面に触れることを簡単な構成によって防ぐと共に、ユーザの手が触れる部分の温度上昇を抑えることができる吸着ユニット及び空気清浄機を提供することを目的とする。
【課題を解決するための手段】
【０００７】
本願の開示する吸着ユニットの一態様は、円板状に形成されるフィルタと、前記フィルタの一部に対向して配置される放熱板と、前記放熱板を加熱することにより前記放熱板を介して前記フィルタの一部を加熱するヒータと、前記ヒータ及び前記放熱板を覆って加熱空間を形成するケースと、前記ケースの外面を覆って設けられ、前記外面との間に断熱空間を形成するガード部材と、を備える。
【発明の効果】
【０００８】
本願の開示する吸着ユニットの一態様によれば、ユーザの手がケースの高温となる外面に触れることをガード部材によって防ぐと共に、ユーザの手が触れるガード部材の温度上昇を抑えることができる。
【図面の簡単な説明】
【０００９】
【図１】図１は、実施例の空気清浄機の外観を示す斜視図である。
【図２】図２は、実施例の空気清浄機を示す平面図である。
【図３】図３は、実施例の空気清浄機を示す図１におけるＡ−Ａ断面図である。
【図４】図４は、実施例の空気清浄機を示す図１におけるＢ−Ｂ断面図である。
【図５】図５は、実施例の脱臭ユニットを示す正面図である。
【図６】図６は、実施例の脱臭ユニットの脱臭フィルタ部を示す斜視図である。
【図７】図７は、実施例の脱臭ユニットのフィルタ再生部を示す分解斜視図である。
【図８】図８は、実施例におけるフィルタ再生部の背面側ケース部材を内側から示す斜視図である。
【図９】図９は、実施例におけるフィルタ再生部のケースを外側から示す斜視図である。
【図１０】図１０は、実施例におけるフィルタ再生部のケースにガード部材が取り付けられた状態を示す斜視図である。
【図１１】図１１は、実施例におけるフィルタ再生部を示す図１０におけるＣ−Ｃ断面図である。
【図１２】図１２は、実施例におけるガード部材を示す斜視図である。
【図１３】図１３は、実施例におけるガード部材の第１ガード部材を外側から示す斜視図である。
【図１４】図１４は、実施例におけるガード部材の第１ガード部材を内側から示す斜視図である。
【発明を実施するための形態】
【００１０】
以下に、本願の開示する吸着ユニット及び空気清浄機の実施例を図面に基づいて詳細に説明する。なお、以下の実施例によって、本願の開示する吸着ユニット及び空気清浄機が限定されるものではない。
【実施例】
【００１１】
［空気清浄機の構成］
図１は、実施例の空気清浄機の外観を示す斜視図である。一実施例である空気清浄機１は、図１に示すように、本体筐体１１と、前面パネル１２と、フロントパネル１３と、リアパネル１４と、を備えている。本体筐体１１は、合成樹脂材で形成され、略直方体状に形成されている。本体筐体１１は、天面パネル１１ａ、右側面パネル１１ｂ、左側面パネル１１ｃ及び底部１１ｄを備えている。底部１１ｄは、本体筐体１１の下部を形成しており、空気清浄機１が設置される設置面に載置される。右側面パネル１１ｂと左側面パネル１１ｃは、対向するように配置されることにより本体筐体１１の側面を形成し、それぞれの下端が底部１１ｄに接合されている。天面パネル１１ａは、本体筐体１１の上部を形成しており、右側面パネル１１ｂの上端と左側面パネル１１ｃの上端とに接合されている。前面パネル１２は、本体筐体１１の前面に配置されている。フロントパネル１３は、前面パネル１２の前方に配置されている。
【００１２】
フロントパネル１３と前面パネル１２との間には、上面吸込口１３ａ、右側面吸込口１３ｂ、左側面吸込口１３ｃ及び下側吸込口１３ｄが形成されている。上面吸込口１３ａは、フロントパネル１３の上側に配置されている。右側面吸込口１３ｂは、フロントパネル１３の右側面パネル１１ｂの側に配置されている。左側面吸込口１３ｃは、フロントパネル１３の左側面パネル１１ｃの側に配置されている。下側吸込口１３ｄは、フロントパネル１３の底部１１ｄの側に配置されている。
【００１３】
空気清浄機１は、操作部１５をさらに備えている。操作部１５は、上面吸込口１３ａの一部を覆うように、空気清浄機１の上面に配置されている。操作部１５は、ボタン及び表示部を有する。ボタンは、電源ボタンや運転モード切り換えボタン等を含み、空気清浄機１を操作するときに用いられる。表示部は、空気清浄機１の運転状態や図示しない塵埃センサ等の検出器の検出結果を表示する。
【００１４】
図２は、実施例の空気清浄機を示す平面図である。リアパネル１４は、合成樹脂材で形成され、図２に示すように、前面パネル１２が配置される前面の反対側の背面に配置されている。本体筐体１１とリアパネル１４との間には、上面吹出口１４ａと右側面吹出口１４ｂと左側面吹出口１４ｃとが形成されている。上面吹出口１４ａは、リアパネル１４の天面パネル１１ａの側に配置されている。右側面吹出口１４ｂは、リアパネル１４の右側面パネル１１ｂの側に配置されている。左側面吹出口１４ｃは、リアパネル１４の左側面パネル１１ｃの側に配置されている。
【００１５】
空気清浄機１は、上面吸込口１３ａ、右側面吸込口１３ｂ、左側面吸込口１３ｃ及び下側吸込口１３ｄのそれぞれから本体筐体１１に吸い込んだ空気を、上面吹出口１４ａ、右側面吹出口１４ｂ及び左側面吹出口１４ｃのそれぞれから吹き出すまでに、空気の除塵処理、加湿処理及び脱臭処理を行う。
【００１６】
なお、図１以降において、空気清浄機１の前後方向（奥行方向）をＸ方向、空気清浄機１の幅方向をＹ方向、空気清浄機１の高さ方向をＺ方向として示す。また、以下の説明では、本体筐体１１の前面パネル１２が配置される側を「前面側」とし、本体筐体１１のリアパネル１４が配置される側を「背面側」とする。
【００１７】
図３は、実施例の空気清浄機を示す図１におけるＡ−Ａ断面図である。本体筐体１１は、図３に示すように、内部に通風路１０が形成されている。通風路１０は、上面吸込口１３ａと右側面吸込口１３ｂと左側面吸込口１３ｃと下側吸込口１３ｄとを、上面吹出口１４ａと右側面吹出口１４ｂと左側面吹出口１４ｃとに連通している。
【００１８】
空気清浄機１は、さらに、プレフィルタ２１、集塵ユニット２２、吸着ユニットとしての脱臭ユニット２３、加湿ユニット２４及び送風機２５を備えている。プレフィルタ２１、集塵ユニット２２、脱臭ユニット２３、加湿ユニット２４及び送風機２５は、本体筐体１１の内部の通風路１０に配置されている。
【００１９】
プレフィルタ２１は、例えば、糸状のＰＥＴ（ポリエチレンテレフタラート）材が編み込まれた網目構造体として形成されている。プレフィルタ２１は、通風路１０の前面側に配置されている。プレフィルタ２１は、上面吸込口１３ａ、右側面吸込口１３ｂ、左側面吸込口１３ｃ及び下側吸込口１３ｄから本体筐体１１の内部の通風路１０にそれぞれ吸い込まれる空気に含まれる塵埃を捕集する。
【００２０】
集塵ユニット２２は、通風路１０のうちのプレフィルタ２１の背面側に配置されている。本体筐体１１は、さらに、仕切板１６を備えている。仕切板１６は、フロントパネル１３の背面側に配置されており、本体筐体１１の一部を形成している。集塵ユニット２２は、第１電気集塵機２２ａ及び第２電気集塵機２２ｂを有する。第１電気集塵機２２ａ及び第２電気集塵機２２ｂは、上下方向に並べられ、仕切板１６に支持されている。第１電気集塵機２２ａ及び第２電気集塵機２２ｂは、それぞれ、図示しない筐体、放電電極及び集塵電極を有する。筐体の内部には、放電電極と集塵電極が支持されている。放電電極は、プレフィルタ２１で捕集されなかった細かな塵埃や花粉等をコロナ放電により帯電させる。集塵電極は、放電電極により帯電された塵埃や花粉等を捕集する。集塵ユニット２２は、第１電気集塵機２２ａと第２電気集塵機２２ｂとが、放電電極及び集塵電極、筐体とで形成されていることにより、例えば不織布をプリーツ形状に形成してなる他の集塵フィルタに比べて、空気抵抗が小さい。
【００２１】
脱臭ユニット２３は、通風路１０のうちのプレフィルタ２１の背面側に配置されている。加湿ユニット２４は、通風路１０のうちの脱臭ユニット２３の背面側に配置されている。加湿ユニット２４は、加湿フィルタ２４ａ及び貯水タンク２４ｂを有する。貯水タンク２４ｂには、水が貯留される。加湿フィルタ２４ａは、円板形状に形成されており、貯水タンク２４ｂに溜められた水に、加湿フィルタ２４ａの一部が浸るように配置されている。加湿フィルタ２４ａは、さらに、貯水タンク２４ｂに溜められた水に浸る部分が移動するように、回転軸により回転可能に支持されており、図示しないモータにより回転される。加湿ユニット２４は、貯水タンク２４ｂに溜められた水により湿らされた加湿フィルタ２４ａに空気を通すことにより、通風路１０を流れる空気を加湿する。
【００２２】
なお、加湿ユニット２４は、上記の構成に限らず、例えば、貯水タンク２４ｂに溜められた水を加湿フィルタ２４ａの外周側に形成した複数の桶で汲み上げて加湿フィルタ２４ａを湿潤させるようにしてもよい。この場合は加湿フィルタ２４ａは貯水タンク２４ｂに溜められた水に浸からないようにしてもよい。また、加湿フィルタ２４ａは回転しないようにしてもよい。この場合は、貯水タンク２４ｂに溜められた水を毛細管現象により吸い上げる他の加湿フィルタに置換されてもよい。
【００２３】
送風機２５は、通風路１０のうちの加湿ユニット２４の背面側に配置されている。送風機２５は、ターボファン２５ａ及びファンモータ２５ｂを有する。ファンモータ２５ｂは、回転数可変であり、ターボファン２５ａを回転させる。ターボファン２５ａは、合成樹脂材によって形成されており、ファンモータ２５ｂの出力軸に接続されている。ターボファン２５ａは、回転することにより、上面吸込口１３ａ、右側面吸込口１３ｂ、左側面吸込口１３ｃ及び下側吸込口１３ｄから、上面吹出口１４ａ、右側面吹出口１４ｂ及び左側面吹出口１４ｃに向かって空気を流す。すなわち、送風機２５は、上面吸込口１３ａ、右側面吸込口１３ｂ、左側面吸込口１３ｃ及び下側吸込口１３ｄから、空気清浄機１の内部へ空気を取り込み、通風路１０に沿って空気を通過させる。送風機２５は、さらに、上面吹出口１４ａ、右側面吹出口１４ｂ及び左側面吹出口１４ｃを介して、通風路１０を通過した空気を空気清浄機１の外部に放出する。
【００２４】
送風機２５は、ファンモータ２５ｂの中心の高さＤが、集塵ユニット２２の第１電気集塵機２２ａと第２電気集塵機２２ｂとの間の空間の高さと一致するように配置されている。ファンモータ２５ｂの中心付近は、ターボファン２５ａの回転による空気の流れが少ないので、通風路１０におけるファンモータ２５ｂの中心付近の空間での空気の流れが少ない。集塵ユニット２２は、第１電気集塵機２２ａと第２電気集塵機２２ｂとの間を空気が通過しない。このため、集塵ユニット２２は、空気の流れが多い空間に第１電気集塵機２２ａ及び第２電気集塵機２２ｂが配置されることにより、除塵を高効率に行うことができる。
【００２５】
図４は、実施例の空気清浄機を示す図１におけるＢ−Ｂ断面図である。プレフィルタ２１は、図４に示すように、中央が前面側に向かって凸となるアーチ形状に形成されている。このため、プレフィルタ２１は、プレフィルタ２１を平坦状に形成する場合と比べて、上面吸込口１３ａ、右側面吸込口１３ｂ、左側面吸込口１３ｃ及び下側吸込口１３ｄから、本体筐体１１の内部にそれぞれ吸い込まれた空気がプレフィルタ２１を通過する面積が大きい。これにより、プレフィルタ２１は、上面吸込口１３ａ、右側面吸込口１３ｂ、左側面吸込口１３ｃ及び下側吸込口１３ｄから、本体筐体１１の内部に吸い込まれた空気から、より一層多くの塵埃を捕集することが可能とされている。
【００２６】
［脱臭ユニットの構成］
図５は、実施例の脱臭ユニットを示す正面図である。実施例の吸着ユニットとしての脱臭ユニット２３は、図５に示すように、脱臭フィルタ部２３ａと、フィルタ再生部２３ｆと、保持部２３ｇとを有する。脱臭フィルタ部２３ａは、円板状に形成されている。フィルタ再生部２３ｆは、略三角柱形状に形成されており、脱臭フィルタ部２３ａの周方向における一部の両面を覆っている。保持部２３ｇは、本体筐体１１に固定されており、脱臭フィルタ部２３ａ及びフィルタ再生部２３ｆを支持している。
【００２７】
保持部２３ｇは、合成樹脂材によって略四角形状のフレームとして形成されており、図５に示すように、脱臭フィルタ部２３ａの形状に応じた円形状の開口部２３ｇｄが中央に形成されている。さらに、保持部２３ｇは、開口部２３ｇｄの上方（保持部２３ｇを通風路１０に配置したときに上側となる箇所。以下、「上方」と記載）には、フィルタ再生部２３ｆの形状に応じた凹形状の再生部収納部２３ｇｅが形成されている。
【００２８】
さらに、脱臭ユニット２３は、脱臭フィルタ部２３ａを回転させる駆動部２３ｊと、脱臭フィルタ２３ａａの回転を検出する回転検出部２３ｋと、を有する。駆動部２３ｊ及び回転検出部２３ｋは、保持部２３ｇの再生部収納部２３ｇｅに隣接する位置に設けられている。駆動部２３ｊは、脱臭フィルタ部２３ａの外周部に噛み合わされる駆動歯車と、駆動歯車を回転させるモータと、を有する。回転検出部２３ｋは、脱臭フィルタ部２３ａの外周部に噛み合わされる回転検出用歯車と、回転検出用歯車の回転を検出するセンサと、を有する。
【００２９】
図６は、実施例の脱臭ユニット２３の脱臭フィルタ部２３ａを示す斜視図である。脱臭フィルタ部２３ａは、図６に示すように、脱臭フィルタ２３ａａ、外周部フィルタカバー２３ａｃ及び内周部フィルタカバー２３ａｅを有する。
【００３０】
脱臭フィルタ２３ａａは、円板状に形成されており、中央に貫通孔２３ａａｏが形成されている。脱臭フィルタ２３ａａは、脱臭フィルタ２３ａａの厚さ方向に空気が通過するように形成されている。脱臭フィルタ２３ａａは、通過する空気から臭気成分を吸着し、後述するＰＴＣヒータ２３ｂによって加熱されることで、吸着された臭気成分を分解する。例えば、脱臭フィルタ２３ａａは、図示しない基材と、基材に形成された触媒層とを有する。基材は、アルミニウム等の板材によって形成されており、ハニカム構造に例示される多孔構造に形成されている。触媒層は、触媒によって形成されており、基材の表面を被覆している。触媒は、触媒層の近傍を流れる空気から臭気成分を吸着し、加熱されることにより、吸着された臭気成分を分解する。脱臭フィルタ２３ａａは、多孔構造に形成されていること、及び、フィルタ再生部２３ｆが脱臭フィルタ２３ａａの一部のみを覆い大部分を覆っていないことにより、空気抵抗が小さい。
【００３１】
外周部フィルタカバー２３ａｃは、概ね円環状に形成されており、脱臭フィルタ２３ａａの外周部に沿って配置されている。外周部フィルタカバー２３ａｃは、脱臭フィルタ２３ａａの外周縁部を覆って外周部の端面を保護している。内周部フィルタカバー２３ａｅは、概ね円環状に形成され、脱臭フィルタ２３ａａの貫通孔２３ａａｏの内部に配置されており、脱臭フィルタ２３ａａにおける内周縁部を覆って脱臭フィルタ２３ａａの内周部の端面を保護している。内周部フィルタカバー２３ａｅには、貫通孔２３ａｄが形成されている。
【００３２】
［フィルタ再生部の構成］
図７は、実施例の脱臭ユニット２３のフィルタ再生部２３ｆを示す分解斜視図である。フィルタ再生部２３ｆは、図７に示すように、ケース２３ｅと、放熱板２３ｃと、ＰＴＣ（Ｐｏｓｉｔｉｖｅ  Ｔｅｍｐｅｒａｔｕｒｅ  Ｃｏｅｆｆｉｃｉｅｎｔ）ヒータ２３ｂと、を有する。ケース２３ｅは、略三角柱形状の箱状に形成されている。ケース２３ｅは、脱臭フィルタ部２３ａの周方向の一部を覆うと共に、ＰＴＣヒータ２３ｂ及び放熱板２３ｃを覆っている。ケース２３ｅは、組み合わされる一対の、第１ケース部材としての前面側ケース部材２３ｅａと、第２ケース部材としての背面側ケース部材２３ｅｂと、を有する。前面側ケース部材２３ｅａは、ケース２３ｅの前面側の部分を形成している。背面側ケース部材２３ｅｂは、ケース２３ｅの背面側の部分を形成している。前面側ケース部材２３ｅａと背面側ケース部材２３ｅｂで構成されたケース２３ｅの内部には空間が形成される。
【００３３】
放熱板２３ｃは、対向して配置される一組の第１板と第２板としての一組の前面側放熱板２３ｃａと背面側放熱板２３ｃｂを有する。第２板としての前面側放熱板２３ｃａは、ケース２３ｅの内部に支持されている。前面側放熱板２３ｃａは、脱臭フィルタ部２３ａの周方向における一部に対向する。脱臭フィルタ部２３ａは、前面側放熱板２３ｃａによって脱臭フィルタ部２３ａの一部が前面側から覆われている。同様に、第１板としての背面側放熱板２３ｃｂは、ケース２３ｅの内部に支持されている。背面側放熱板２３ｃｂは、脱臭フィルタ部２３ａの周方向における一部に対向する。脱臭フィルタ部２３ａは、背面側放熱板２３ｃｂによって脱臭フィルタ部２３ａの一部が背面側から覆われている。
【００３４】
ＰＴＣヒータ２３ｂは、通電されることにより発熱し、温度上昇に伴って抵抗値が増加する性質を有しており、この性質を利用して発熱量を自己制御する。ＰＴＣヒータ２３ｂは、直方体状に形成されており、ケース２３ｅの内部に設けられている。ＰＴＣヒータ２３ｂは、脱臭フィルタ部２３ａの外周側に配置されており、前面側放熱板２３ｃａと背面側放熱板２３ｃｂとの間に挟まれて支持されている。ＰＴＣヒータ２３ｂは、後述する背面側放熱板２３ｃｂの位置決め突起２３ｃｆ（図７）に突き当てられる。また、ＰＴＣヒータ２３ｂは、後述する背面側ケース部材２３ｅｂの第１支持部２３ｓ１の第１リブに突き当てられる。これにより、ＰＴＣヒータ２３ｂはＺ方向の両側への移動が規制されている。
【００３５】
前面側放熱板２３ｃａ及び背面側放熱板２３ｃｂは、例えば、アルミニウム材またはアルミ合金材等の熱伝導性が良好な材料によって形成されている。前面側放熱板２３ｃａは、図７に示すように、脱臭フィルタ部２３ａの前面側に配置されている。前面側放熱板２３ｃａの外形は、脱臭フィルタ部２３ａの貫通孔２３ａｄから脱臭フィルタ部２３ａの外周側に向かうにつれて左右方向（脱臭フィルタ部２３ａの周方向）に対する幅寸法が大きくなる略三角形状に形成されている。前面側放熱板２３ｃａは、フィルタ対向面２３ｃａａとカバー対向面２３ｃａｂを有する。フィルタ対向面２３ｃａａは、前面側放熱板２３ｃａの一方の面であり、カバー対向面２３ｃａｂは、前面側放熱板２３ｃａの他方の面である。また、前面側放熱板２３ｃａの内周側端部には、半円状の切り欠き部２３ｃａｇが形成されており、後述する背面側ケース部材２３ｅｂの軸部２３ｘａから離間されている（図７参照）。切り欠き部２３ｃａｇは、軸部２３ｘａの外周面と背面側放熱板２３ｃｂとの間に断熱のための空隙（断熱空間）を確保するように、軸部２３ｘａの周方向に沿って形成されている。
【００３６】
背面側放熱板２３ｃｂは、脱臭フィルタ部２３ａの背面側に対向して配置されている。背面側放熱板２３ｃｂの外形は、脱臭フィルタ部２３ａの貫通孔２３ａｄから外周側に向かうにつれて左右方向（脱臭フィルタ部２３ａの周方向）に対する幅寸法が大きくなる略三角形状に形成されている。背面側放熱板２３ｃｂは、フィルタ対向面２３ｃｂａとカバー対向面２３ｃｂｂを有する。フィルタ対向面２３ｃｂａは、背面側放熱板２３ｃｂの一方の面であり、カバー対向面２３ｃｂｂは、背面側放熱板２３ｃｂの他方の面である。
【００３７】
図７に示すように、背面側放熱板２３ｃｂのフィルタ対向面２３ｃｂａには、ＰＴＣヒータ２３ｂを位置決めする位置決め突起２３ｃｆが設けられており、位置決め突起２３ｃｆがＰＴＣヒータ２３ｂの外周面（Ｚ方向の一方側の外周面（脱臭フィルタ部２３ａの内周側の外周面））に当たることで、Ｚ方向の一方側（脱臭フィルタ部２３ａの内周側）に対するＰＴＣヒータ２３ｂの位置が規制されている。また、背面側放熱板２３ｃｂと同様に、前面側放熱板２３ｃａのフィルタ対向面２３ｃａａにも、ＰＴＣヒータ２３ｂを位置決めする位置決め突起２３ｃｇが設けられている。また、背面側放熱板２３ｃｂの内周側端部には、半円状の切り欠き部２３ｃｂｇが形成されており、後述する背面側ケース部材２３ｅｂの軸部２３ｘａから離間されている（図７参照）。切り欠き部２３ｃｂｇは、軸部２３ｘａの外周面と背面側放熱板２３ｃｂとの間に断熱のための空隙を確保するように、軸部２３ｘａの周方向に沿って形成されている。
【００３８】
ＰＴＣヒータ２３ｂは、前面側放熱板２３ｃａのフィルタ対向面２３ｃａａ及び背面側放熱板２３ｃｂのフィルタ対向面２３ｃｂａにおける脱臭フィルタ部２３ａの外周側の側縁部に、前面側放熱板２３ｃａと背面側放熱板２３ｃｂとの間に挟まれて支持されている。前面側放熱板２３ｃａは、フィルタ対向面２３ｃａａが脱臭フィルタ部２３ａに対向するように配置されている。背面側放熱板２３ｃｂは、フィルタ対向面２３ｃｂａが脱臭フィルタ部２３ａに対向するように配置されている。なお、ＰＴＣヒータ２３ｂと、前面側放熱板２３ｃａ及び背面側放熱板２３ｃｂとの間には、熱伝導性を高めるために熱伝導グリース等が塗布されてもよい。
【００３９】
説明の便宜上、背面側ケース部材２３ｅｂから先に説明する。背面側ケース部材２３ｅｂは、合成樹脂材によって形成されている。背面側ケース部材２３ｅｂの外形は、図７に示すように、背面側放熱板２３ｃｂの外形よりも一回り大きく形成されている。背面側ケース部材２３ｅｂの内側には、脱臭フィルタ部２３ａを加熱するための加熱空間としての加熱空間部２３ｅｄが形成されている。背面側ケース部材２３ｅｂは、有底の箱状に形成されており、背面側ケース部材２３ｅｂは、底部２３ｅｄａと、背面側ケース部材２３ｅｂの外周に沿って形成された外周壁としての第１側部２３ｅｄｂ、第２側部２３ｅｄｃ、第３側部２３ｅｄｄ及び第４側部２３ｅｄｅと、を有する。底部２３ｅｄａは、略三角形の板状に形成されている。第１側部２３ｅｄｂ、第２側部２３ｅｄｃ、第３側部２３ｅｄｄ及び第４側部２３ｅｄｅは、それぞれ、底部２３ｅｄａの外周部から立ち上がって形成されている。第１側部２３ｅｄｂは、底部２３ｅｄａの外周部における、脱臭フィルタ部２３ａの貫通孔２３ａｄ側に配置される部分に形成されている。第４側部２３ｅｄｅは、底部２３ｅｄａの外周部における、脱臭フィルタ部２３ａの外周側に配置される部分に形成されている。第２側部２３ｅｄｃと第３側部２３ｅｄｄは、底部２３ｅｄａの外周部のＹ方向の両側の部分に形成されている。
【００４０】
図７に示すように、背面側ケース部材２３ｅｂの底部２３ｅｄａには、背面側放熱板２３ｃｂの外周に沿って内周壁２３ｐｂが形成されている。内周壁２３ｐｂは、第１側部２３ｅｄｂ、第２側部２３ｅｄｃ、第３側部２３ｅｄｄに対して所定の間隔をあけて形成されており、内周壁２３ｐｂの両端が第４側部２３ｅｄｅに連結されている。背面側ケース部材２３ｅｂの底部２３ｅｄａには、脱臭フィルタ部２３ａの貫通孔２３ａｄに挿通されて脱臭フィルタ部２３ａを回転可能に支持する軸部２３ｘａが形成されている。軸部２３ｘａは、ネジ２３ｔ等がねじ込まれるネジ孔２３ｘａａを有する。また、背面側ケース部材２３ｅｂの外周側端部において、底部２３ｅｄａのＹ方向における両側には、前面側ケース部材２３ｅａと背面側ケース部材２３ｅｂとを一体に固定するネジ２３ｔ等がねじ込まれる貫通孔２３ｘｂａを有するボス２３ｘｂがそれぞれ形成されている。
【００４１】
背面側ケース部材２３ｅｂの底部２３ｅｄａには、２つの第１支持部２３ｓ１が形成されている。第１支持部２３ｓ１は、背面側放熱板２３ｃｂの外周部２３ｃｂｈと、背面側放熱板２３ｃｂに重ねられるＰＴＣヒータ２３ｂ及び前面側放熱板２３ｃａの外周部２３ｃａｈをそれぞれ支持する。また、背面側ケース部材２３ｅｂの底部２３ｅｄａには、背面側放熱板２３ｃｂの外周部２３ｃｂｈを支持する第２支持部２３ｓ２がそれぞれ形成されている。
【００４２】
図７に示すように、前面側ケース部材２３ｅａは、背面側ケース部材２３ｅｂと同様に、合成樹脂材によって形成されている。前面側ケース部材２３ｅａの外形は、前面側放熱板２３ｃａの外形よりも一回り大きく形成されている。前面側ケース部材２３ｅａの内側には、脱臭フィルタ部２３ａを加熱するための加熱空間としての加熱空間部２３ｅｃが形成されている。前面側ケース部材２３ｅａは有底の箱状に形成されており、前面側ケース部材２３ｅａは、底部２３ｅｃａと、前面側ケース部材２３ｅａの外周に沿って形成された外周壁としての第１側部２３ｅｃｂ、第２側部２３ｅｃｃ、第３側部２３ｅｃｄ及び第４側部２３ｅｃｅと、を有する。底部２３ｅｃａは、略三角形の板状に形成されている。第１側部２３ｅｃｂ、第２側部２３ｅｃｃ、第３側部２３ｅｃｄ及び第４側部２３ｅｃｅは、それぞれ、底部２３ｅｃａの外周部から立ち上がって形成されている。第１側部２３ｅｃｂは、底部２３ｅｃａの外周部における、脱臭フィルタ部２３ａの貫通孔２３ａｄ側に配置される部分に形成されている。第４側部２３ｅｃｅは、底部２３ｅｃａの外周部における、脱臭フィルタ部２３ａの外周側に配置される部分に形成されている。第２側部２３ｅｃｃと第３側部２３ｅｃｄは、底部２３ｅｃａの外周部のＹ方向の両側の部分に形成されている。底部２３ｅｃａと第１側部２３ｅｃｂ、第２側部２３ｅｃｃ、第３側部２３ｅｃｄ及び第４側部２３ｅｃｅとで囲まれた空間が前面側内部空間となる。
【００４３】
図７に示すように、前面側ケース部材２３ｅａの底部２３ｅｃａには、前面側放熱板２３ｃａの外周に沿って内周壁２３ｐａが形成されている。内周壁２３ｐａは、第１側部２３ｅｃｂ、第２側部２３ｅｃｃ、第３側部２３ｅｃｄに対して所定の間隔をあけて形成されており、内周壁２３ｐａの両端が第４側部２３ｅｃｅに連結されている。前面側ケース部材２３ｅａの底部２３ｅｃａには、脱臭フィルタ部２３ａの貫通孔２３ａｄに対向する位置に、凹状の軸座部２３ｘｃが形成されている。軸座部２３ｘｃには、背面側ケース部材２３ｅｂの軸部２３ｘａの先端が突き当てられる。軸座部２３ｘｃはネジ２３ｔがねじ込まれる貫通孔２３ｘｃａを有する。また、前面側ケース部材２３ｅａの底部２３ｅｃａのＹ方向における両側で、かつ、第４側部２３ｅｃｅと隣接する位置には、背面側ケース部材２３ｅｂのボス２３ｘｂの先端が突き当てられるボス座部２３ｘｄが形成されている。ボス座部２３ｘｄはネジ２３ｔがねじ込まれる貫通孔２３ｘｄａを有する。
【００４４】
また、前面側ケース部材２３ｅａの底部２３ｅｃａには、図示しないが、背面側ケース部材２３ｅｂの第１支持部２３ｓ１の第１リブ及び第２リブがそれぞれ突き当てられる第１リブ及び第２リブが形成されている。前面側ケース部材２３ｅａの第１リブ及び第２リブは、前面側放熱板２３ｃａに接することで、前面側放熱板２３ｃａ、ＰＴＣヒータ２３ｂ及び背面側放熱板２３ｃｂのＸ方向に沿う両側に対する移動を規制する。前面側ケース部材２３ｅａの第１リブ及び第２リブは、底部２３ｅｃａから突出して形成されており、前面側放熱板２３ｃａと前面側ケース部材２３ｅａの内面との間に空間（隙間）をあけた状態で前面側放熱板２３ｃａの外周部２３ｃａｈを支持する。
【００４５】
図７に示すように、脱臭フィルタ部２３ａの貫通孔２３ａｄには、背面側ケース部材２３ｅｂの軸部２３ｘａが挿通されることで、脱臭フィルタ部２３ａが軸部２３ｘａに回転可能に支持されている。また、軸部２３ｘａは、環状部材としての円筒状のシャフト部材２３ｘｅ内へ通されており、脱臭フィルタ部２３ａの貫通孔２３ａｄに通されたシャフト部材２３ｘｅを介して、脱臭フィルタ部２３ａの中心部を支持している。シャフト部材２３ｘｅは、例えば、ステンレス等の熱伝導性を有する金属材料等によって形成されており、背面側放熱板２３ｃｂと前面側放熱板２３ｃａとの間に両端面が挟み込まれている。
【００４６】
［脱臭ユニットの特徴的な構成］
次に、実施例における脱臭ユニット２３の特徴的な構成について説明する。図８は、実施例におけるフィルタ再生部２３ｆの背面側ケース部材２３ｅｂを内側から示す斜視図である。
【００４７】
図８に示すように、背面側ケース部材２３ｅｂ（ケース２３ｅ）の内部には、ＰＴＣヒータ２３ｂ及び放熱板２３ｃが配置される加熱空間部２３ｅｄである第１空間Ｓ１と、仕切壁としての内周壁２３ｐｂを介して第１空間Ｓ１と仕切られた第２空間Ｓ２と、が形成されている。第２空間Ｓ２は、第１空間Ｓ１の周囲にわたって形成されている。すなわち、第２空間Ｓ２は、ＰＴＣヒータ２３ｂが配置されていない空間であり、第１空間Ｓ１に比べて内部の温度が低い。図示しないが、前面側ケース部材２３ｅａの内部にも、背面側ケース部材２３ｅｂと同様に、第１空間Ｓ１及び第２空間Ｓ２が形成されている。
【００４８】
図９は、実施例におけるフィルタ再生部２３ｆのケース２３ｅを外側から示す斜視図である。図１０は、実施例におけるフィルタ再生部２３ｆのケース２３ｅにガード部材が取り付けられた状態を示す斜視図である。図１１は、実施例におけるフィルタ再生部２３ｆを示す図１０におけるＣ−Ｃ断面図である。
【００４９】
図９に点線で示すように、ケース２３ｅの内部には、ＰＴＣヒータ２３ｂ及び放熱板２３ｃが配置されている。ケース２３ｅの外面２３ｏは、熱源であるＰＴＣヒータ２３ｂからの距離が近いほど、及びＰＴＣヒータ２３ｂに接触する放熱板２３ｃからの距離が近いほど、表面温度も高温になりやすい傾向がある。本実施例の場合、図９における斜線領域が特に高温になりやすくなっている。
【００５０】
図９及び図１０に示すように、フィルタ再生部２３ｆが有するケース２３ｅの外面２３ｏには、ガード部材２７が着脱可能に設けられている。ガード部材２７は、図１０に示すように、ケース２３ｅの外面２３ｏを図９における斜線領域にわたって覆っている。ガード部材２７は、図１１に示すように、ケース２３ｅの外面２３ｏを覆うことで、ケース２３ｅの外面２３ｏとの間に断熱空間Ｓ３を形成しており、これにより、ケース２３ｅからガード部材２７に熱が伝わることが抑制されている。ケース２３ｅの外面２３ｏがガード部材２７によって覆われることで、ケース２３ｅの外面２３ｏとガード部材２７の間には、図９における斜線領域にわたって断熱空間Ｓ３が形成される。
【００５１】
ガード部材２７は、ケース２３ｅの外面２３ｏを図９における斜線領域にわたって覆うことにより、ケース２３ｅの外面２３ｏで高温になりやすい範囲にユーザの手が触れることを防いでいる。さらに、ケース２３ｅが高温となっているときにユーザの手がガード部材２７に触れた場合であっても、ケース２３ｅの外面２３ｏとガード部材２７の間に形成された断熱空間Ｓ３によって、ケース２３ｅからの熱がガード部材２７を介して手に伝わることが抑制されている。
【００５２】
上述したケース２３ｅは、図９及び図１１に示すように、対向するように配置される一組の前面部ＦＳ（前面側ケース部材２３ｅａ側）及び背面部ＢＳ（背面側ケース部材２３ｅｂ側）と、前面部ＦＳと背面部ＢＳとを連結する端面部としての上面部ＴＳ（空気清浄機１の上方）と、を有する。一方、ガード部材２７は、図１１に示すように、ケース２３ｅの前面部ＦＳに対向する第１面Ｆ１と、ケース２３ｅの背面部ＢＳに対向する第２面Ｆ２と、上面部ＴＳに対向する第３面Ｆ３と、を有する断面Ｕ字状に形成されている。ガード部材２７は、例えば、ＰＰＳ（ポリフェニレンサルファイド）樹脂等の耐熱性を有する樹脂材料によって形成されている。
【００５３】
ガード部材２７の第１面Ｆ１、第２面Ｆ２及び第３面Ｆ３と、ケース２３ｅの外面２３ｏとの間には、一定の離間距離ｄが設けられる。これにより、図１１に示すように、第１面Ｆ１、第２面Ｆ２、第３面Ｆ３にわたって連続する断熱空間Ｓ３が形成されている。実施例では、例えば、離間距離ｄが２［ｍｍ］程度に設定されている。このように断熱空間Ｓ３が形成されることにより、所望の断熱効果を得ると共にガード部材２７全体をコンパクトに形成することができる。また、第１面Ｆ１、第２面Ｆ２、第３面Ｆ３にわたって連続する断熱空間Ｓ３を形成することによって、ガード部材２７は、熱源であるＰＴＣヒータ２３ｂに近接する箇所でケース２３ｅと接触しない。そのため、ＰＴＣヒータ２３ｂからの熱がガード部材２７へ伝わることが抑制されている。
【００５４】
ガード部材２７は、図１０及び図１１に示すように、互いに組み合わされる一対の第１ガード部材２７ａと第２ガード部材２７ｂを有する。第１ガード部材２７ａと第２ガード部材２７ｂは、同一形状、同一寸法であり、部品の共通化によって製造コストを抑えると共に、ガード部材２７の組み付けの自由度が高められるのでガード部材２７の組み付け時の作業性が高められる。以下、第１ガード部材２７ａについて説明するが、第２ガード部材２７ｂも第１ガード部材２７ａと同様に形成されている。
【００５５】
図１２は、実施例におけるガード部材２７を示す斜視図である。図１３は、実施例におけるガード部材２７の第１ガード部材２７ａを外側から示す斜視図である。図１４は、実施例におけるガード部材２７の第１ガード部材２７ａを内側から示す斜視図である。
【００５６】
図１２、図１３及び図１４に示すように、第１ガード部材２７ａは、断熱空間Ｓ３に連通する貫通穴としての複数の連通口２８ａが間隔をあけて設けられている。連通口２８ａは、図１１及び図１２に示すように、ガード部材２７の第１面Ｆ１、第２面Ｆ２及び第３面Ｆ３にそれぞれ設けられている。ガード部材２７は、断熱空間Ｓ３の熱を、連通口２８ａを通してガード部材２７の外部へ放出する。これにより、ケース２３ｅの外面２３ｏから伝わった熱が断熱空間Ｓ３に留まり続けること抑えることができる。その結果、断熱空間Ｓ３の温度が上昇するのを抑制することができ、断熱空間Ｓ３の温度上昇に伴うガード部材２７の温度上昇が抑えられる。
【００５７】
また、ガード部材２７において、連通口２８ａは、第１面Ｆ１と第３面Ｆ３がなす角に跨って、第１面Ｆ１と第３面Ｆ３とに連続して形成されている。同様にガード部材２７において、連通口２８ａは、第２面Ｆ２と第３面Ｆ３がなす角に跨って、第２面Ｆ２と第３面Ｆ３とに連続して形成されている。このように第３面Ｆ３に形成される連通口２８ａが第２面Ｆ２に連続して形成されることで、第２面Ｆ２と第３面Ｆ３とに連通口２８ａを形成するための成形金型を引き抜く方向は、一方向（Ｘ方向）だけで済む。そのため、第２面Ｆ２に連通口２８ａを形成するための成形金型と、第３面Ｆ３とに連通口２８ａを形成するための成形金型を、別々に用意する必要がなくなる。よって、成形金型の構造を簡素化することができる。
【００５８】
図１３及び図１４に示すように、各連通口２８ａは、スリット状に形成されており、空気清浄機１における上下方向（Ｚ方向）に沿って延びて形成されている。これにより、空気の対流を利用して断熱空間Ｓ３の熱を連通口２８ａの上下方向に沿って流し、断熱空間Ｓ３の熱をガード部材２７の外部へスムーズに放出することができる。なお、連通口２８ａの形状は、本実施例のような上下方向に沿って延びるスリット状に限定されない。例えば、連通口２８ａの形状は、空気清浄機１における幅方向（Ｙ方向）に沿って水平に延びるスリット状であってもよく、円形や四角形等の各種形状に形成されてもよい。
【００５９】
ガード部材２７には、ケース２３ｅの外面２３ｏに当接する当接部２８ｂが設けられている。当接部２８ｂは、ガード部材２７の外周縁部に沿って設けられており、当接部２８ｂがケース２３ｅの外面２３ｏに接することで断熱空間Ｓ３が形成されている。ガード部材２７の外周縁部に設けられた当接部２８ｂがケース２３ｅに接するので、ケース２３ｅの熱がガード部材２７へ伝わることが抑えられ、ガード部材２７の温度上昇が抑えられる。また、当接部２８ｂは、ケース２３ｅ内の第２空間Ｓ２に対向するケース２３ｅの内面の裏側の外面２３ｏに接するように形成されている。また、当接部２８ｂは、脱臭フィルタ部２３ａの厚み方向（Ｘ方向）から脱臭フィルタ部２３ａを見たときに、ＰＴＣヒータ２３ｂを脱臭フィルタ部２３ａ上に投影した範囲と重ならない位置に設けられている。これにより、ケース２３ｅの外面２３ｏにおいて、第１空間Ｓ１よりも温度が低くなる第２空間Ｓ２に対応するケース２３ｅの外面２３ｏに当接部２８ｂが接するので、ケース２３ｅの熱がガード部材２７へ伝わることが抑えられ、ガード部材２７の温度上昇が抑えられる。
【００６０】
ここで、ガード部材２７がケース２３ｅに取り付けられた状態の構造を説明する。第１ガード部材２７ａには、ケース２３ｅの上面部ＴＳに対向する第３面Ｆ３におけるＹ方向の両側に、ケース２３ｅに係合する一組の第１係合部２８ｃが形成されている。一組の第１係合部２８ｃは、Ｚ方向に沿って突出して形成されている。
【００６１】
また、第１ガード部材２７ａには、ケース２３ｅの前面部ＦＳに対向する第１面Ｆ１におけるＹ方向の両側に、ケース２３ｅに係合する一組の第２係合部２８ｄが形成されている。一組の第２係合部２８ｄは、Ｚ方向に沿って突出してフック状に形成されている。また、一対の第１ガード部材２７ａと第２ガード部材２７ｂが組み合わされたとき、第１ガード部材２７ａ側の第２係合部２８ｃと、第２ガード部材２７ｂ側の第２係合部２８ｃとが重ね合わされ、２つの第２係合部２８ｃが重ねられた状態でケース２３ｅに係合される。
【００６２】
さらに、第１ガード部材２７ａには、図１１に示すように、ケース２３ｅの外面２３ｏに対向する対向面（第１面Ｆ１）に、外面２３ｏへ向かって突出する凸部２８ｅが形成されている。ここで、凸部２８ｅの突出高さは、前述の離間距離ｄよりも小さくなるように形成されており、凸部２８ｅの先端は、ケース２３ｅの外面２３ｏから所定距離だけ離れている。すなわち、凸部２８ｅは、ケース２３ｅの外面２３ｏに非接触である。これにより、通常は、凸部２８ｅがケース２３ｅの外面２３ｏに接触しないようにしつつ、第１ガード部材２７ａの第１面がケースの外面側へ近づいたときには、凸部２８ｅがケース２３ｅの外面２３ｏに接するようにしている。そのため、凸部２８ｅがケース２３ｅの外面２３ｏに接触して熱が伝わるのを防止すると共に、第１ガード部材２７ａの第１面がケース２３ｅの外面側に近づいたときには、凸部２８ｅが外面２３ｏに接することで凸部２８ｅの突出高さに応じた断熱空間Ｓ３が保たれる。このため、ガード部材２７の成形時のばらつき等によって変形が生じている場合や、外力によってガード部材２７が変形した場合であっても、凸部２８ｅがケース２３ｅの外面２３ｏに接することで、所定の断熱空間Ｓ３を確保することが可能になる。また、第１ガード部材２７ａの第１面に対し外力が加わった場合には、第１ガード部材２７ａの第１面が外面２３ｏ側へ撓むのを凸部２８ｅによって抑制し、ガード部材２７が破損してしまうのを防止できる。
【００６３】
一方、ケース２３ｅ（前面側ケース部材２３ｅａ及び背面側ケース部材２３ｅｂ）の外周部には、ガード部材２７の第１係合部２８ｃが係合される係合穴２３ｒと、第２係合部２８ｄが係合される係合凹部２３ｕと、ガード部材２７の当接部２８ｂに係合する係合爪２３ｖと、がそれぞれ設けられている。以下、背面側ケース部材２３ｅｂについて説明するが、前面側ケース部材２３ｅａも背面側ケース部材２３ｅｂと同様に、係合穴２３ｒ、係合凹部２３ｕ及び係合爪２３ｖが形成されている。
【００６４】
図８に示すように、背面側ケース部材２３ｅｂにおけるＹ方向の両側には、空気清浄機１の内部構造体に固定される一対の固定部２３ｑが一体に形成されている。各固定部２３ｑには、係合穴２３ｒが、ケース２３ｅの上面部ＴＳからＺ方向に沿って延びて形成されている。また、一対の固定部２３ｑには、一対の前面側ケース部材２３ｅａと背面側ケース部材２３ｅｂの結合力を高めつつ内部構造体に対して共締めするためのネジ２３ｔが通されるネジ穴２３ｑａが、係合穴２３ｒに隣接して設けられている。さらに、一対の固定部２３ｑには、一対の前面側ケース部材２３ｅａと背面側ケース部材２３ｅｂが結合されたケース２３ｅを空気清浄機１の内部構造体に固定するためのネジ穴２３ｑｂ及びネジ穴２３ｑｃが、Ｙ方向における固定部２３ｑの先端側に設けられている。
【００６５】
また、ケース２３ｅにおけるＹ方向の両側には、係合凹部２３ｕが、Ｚ方向における上方に開口して形成されている。ガード部材２７の第２係合部２８ｄが係合凹部２３ｕに係合することにより、係合凹部２３ｕは、ガード部材２７がＸ方向及びＹ方向へ移動することを規制する。係合爪２３ｖは、ガード部材２７の第１面Ｆ１及び第２面Ｆ２における下端の当接部２８ｂに対応する位置に、ケース２３ｅの外面２３ｏから突出して形成されている。
【００６６】
［フィルタ再生部の組立工程］
以上のように構成された脱臭ユニット２３のフィルタ再生部２３ｆの組立工程について説明する。フィルタ再生部２３ｆの組立工程では、図７を参照して、背面側ケース部材２３ｅｂ側へ、背面側放熱板２３ｃｂ、ＰＴＣヒータ２３ｂが組み付けられ、脱臭フィルタ部２３ａ及び前面側放熱板２３ｃａが組み付けられる。このとき、背面側放熱板２３ｃｂ、ＰＴＣヒータ２３ｂ、脱臭フィルタ部２３ａ、前面側放熱板２３ｃａの順に組み付けられる。脱臭フィルタ部２３ａの貫通孔２３ａｄには背面側ケース部材２３ｅｂの軸部２３ｘａが通される。背面側ケース部材２３ｅｂには、前面側ケース部材２３ｅａが組み合わされる。背面側ケース部材２３ｅｂに前面側ケース部材２３ｅａが組み合わされた後、軸部２３ｘａと軸座部２３ｘｃ、及びボス２３ｘｂとボス座部２３ｘｄにそれぞれネジ２３ｔがねじ込まれることで、背面側ケース部材２３ｅｂと前面側ケース部材２３ｅａとが結合される。
【００６７】
次に、図９ないし図１４を参照して、ガード部材２７をケース２３ｅへ取り付ける手順を説明する。ガード部材２７は、ケース２３ｅの外面２３ｏ上で温度が相対的に高くなる図９における斜線領域を覆うように取り付けられる。
【００６８】
ガード部材２７をケース２３ｅに対して、ケース２３ｅの上部から下方へＺ方向に沿ってスライド移動させることで、第１係合部２８ｃ及び第２係合部２８ｄがそれぞれケース２３ｅの係合穴２３ｒ及び係合凹部２３ｕにそれぞれ係合されると共に、ガード部材２７の第１面Ｆ１及び第２面Ｆ２における下端の当接部２８ｂがケース２３ｅの係合爪２３ｖに係合される。このように、ケース２３ｅに対してガード部材２７を一方向（Ｚ方向）のみに沿ってスライド移動させるだけで、ケース２３ｅに対するガード部材２７の着脱操作を容易に行うことができる。
【００６９】
このように、ガード部材２７の第１係合部２８ｃがケース２３ｅの係合穴２３ｒに係合されることによってガード部材２７がＹ方向に対して位置決めされ、ガード部材２７の第２係合部２８ｄがケース２３ｅの係合凹部２３ｕに係合されることによってガード部材２７がＸ方向に対して位置決めされる。また、ガード部材２７の第１面Ｆ１及び第２面Ｆ２における下端の当接部２８ｂがケース２３ｅの係合爪２３ｖに係合されることによって、ガード部材２７がＺ方向に対して位置決めされる。
【００７０】
最後に、ケース２３ｅにガード部材２７が取り付けられて、係合穴２３ｒに第１の係合部２８ｃが係合された状態で、一対の前面側ケース部材２３ｅａと背面側ケース部材２３ｅｂは、ネジ穴２３ｑａに通されたネジ２３ｔを介して内部構造体と共に締結される。このとき、ネジ２３ｔによる締結力で前面側ケース部材２３ｅａと背面側ケース部材２３ｅｂが圧接されることにより、係合穴２３ｒに係合された第１係合部２８ｃと係合穴２３ｒとの密着性を向上させることができる。加えて、ネジ穴２３ｑａは、係合穴２３ｒに隣接して設けられているので、ネジ穴２３ｑａに通されたネジ２３ｔが締結された際に係合穴２３ｒと第１係合部２８ｃとの密着性を更に向上させて、ケース２３ｅに対するガード部材２７の固定状態の安定性を高めることができる。
【００７１】
［フィルタ再生部における温度分布］
ガード部材２７がケース２３ｅに取り付けられたフィルタ再生部２３ｆにおける温度分布の一例として、図１１に示すように、ＰＴＣヒータ２３ｂを加熱して位置Ｐ０で２４５℃程度になった場合を説明する。この場合、ＰＴＣヒータ２３ｂの熱が伝わった放熱板２３ｃの、ケース２３ｅの前面部ＦＳ及び背面部ＢＳに対向する面上において、ＰＴＣヒータ２３ｂを挟んだ位置Ｐ１で２２３℃程度となり、脱臭フィルタ２３ａａの径方向に沿ってＰＴＣヒータ２３ｂ側から離れるにしたがって温度が徐々に低下する。
【００７２】
ケース２３ｅの外面２３ｏ上において、放熱板２３ｃがＰＴＣヒータ２３ｂを挟んだ位置Ｐ１（２２３℃程度）に対向する位置Ｐ２で１３０℃程度となり、この位置Ｐ２に対向するガード部材２７の外面上における位置Ｐ３で８４℃程度となる。また、ケース２３ｅの外面２３ｏ上のＺ方向において、ガード部材２７の当接部２８ｂと係合爪２３ｖが係合する位置Ｐ４近傍で１００℃程度となり、この位置Ｐ４に対向するガード部材２７の外面上における位置Ｐ５で８４℃程度以下となる。このように、ガード部材２７によってケース２３ｅの外面２３ｏ上において１００℃以上となる領域が覆われ、ガード部材２７が形成する断熱空間Ｓ３によってケース２３ｅの外面２３ｏからガード部材２７への熱伝導が抑えられることで、ガード部材２７の外面上で８４℃程度以下になった。
【００７３】
言い換えると、ガード部材２７は、ケース２３ｅの外面２３ｏ上で１００℃以上になる領域を全て覆っており、ガード部材２７の外面２３ｏ上で温度が８５℃以下になるように、ケース２３ｅの外面２３ｏとの間に断熱空間Ｓ３を形成している。
【００７４】
以上のように組み立てられた脱臭ユニット２３は、図５に示すように、フィルタ再生部２３ｆが保持部２３ｇの再生部収納部２３ｇｅ内に収容されている。また、脱臭フィルタ部２３ａは、外周部フィルタカバー２３ａｃの歯車部３４（図６参照）が、駆動部２３ｊの駆動歯車（不図示）に噛み合わされており、駆動部２３ｊによって回転される。さらに、脱臭フィルタ部２３ａは、外周部フィルタカバー２３ａｃの歯車部３４が、回転検出部の回転検出用歯車に噛み合わされており、回転検出部によって回転が検出される。
【００７５】
［空気清浄機の動作］
空気清浄機１は、使用者が操作部１５を操作することにより、運転を開始する。空気清浄機１は、運転を開始したとき、送風機２５が駆動されると共に、集塵ユニット２２の第１電気集塵機２２ａ及び第２電気集塵機２２ｂが通電され、加湿ユニット２４の加湿フィルタ２４ａが回転を開始する。空気清浄機１は、送風機２５が駆動されることで、上面吸込口１３ａ、右側面吸込口１３ｂ、左側面吸込口１３ｃ及び下側吸込口１３ｄから、本体筐体１１の内部へ空気が吸い込まれる。
【００７６】
本体筐体１１の内部に吸い込まれた空気は、上面吸込口１３ａ、右側面吸込口１３ｂ、左側面吸込口１３ｃ及び下側吸込口１３ｄから、上面吹出口１４ａ、右側面吹出口１４ｂ及び左側面吹出口１４ｃに向かって通風路１０を流れる。通風路１０を流れる空気は、まず、プレフィルタ２１によって塵埃が捕集される。プレフィルタ２１によって塵埃が捕集された空気は、プレフィルタ２１で捕集されなかった細かな塵埃や花粉等が、集塵ユニット２２によって捕集される。集塵ユニット２２によって塵埃が捕集された空気は、一部が脱臭ユニット２３に供給され、残りが加湿ユニット２４に供給される。
【００７７】
脱臭ユニット２３に供給された空気は、保持部２３ｇの開口部２３ｇｄを介して、脱臭フィルタ２３ａａにおけるフィルタ再生部２３ｆによって覆われていない通風面に供給される。脱臭フィルタ２３ａａの通風面に供給された空気は、脱臭フィルタ２３ａａを通過することにより、臭気成分が除去され、脱臭される。このとき、脱臭ユニット２３の脱臭フィルタ２３ａａは、脱臭ユニット２３に供給された空気が、プレフィルタ２１と集塵ユニット２２とにより塵埃や花粉等があらかじめ除去されていることにより、塵埃や花粉等によって目詰まりすることが防止される。
【００７８】
脱臭ユニット２３により脱臭された空気は、一部が加湿ユニット２４に供給され、残りが送風機２５に供給される。加湿ユニット２４に供給された空気は、加湿ユニット２４により加湿される。加湿ユニット２４によって加湿された空気は、送風機２５に供給される。送風機２５に供給された空気は、上面吹出口１４ａ、右側面吹出口１４ｂ及び左側面吹出口１４ｃから、空気清浄機１の外部へ吹き出される。
【００７９】
空気清浄機１は、運転中に、ＰＴＣヒータ２３ｂに継続して通電を行うと共に、駆動部２３ｊを駆動させることで、脱臭フィルタ部２３ａを所定時間毎に所定の回転角度を回転させる。所定時間は、脱臭フィルタ部２３ａの脱臭能力を再生するために必要な処理時間であり、例えば、２時間が例示される。所定の回転角度としては、３０度が例示される。空気清浄機１は、脱臭フィルタ部２３ａを回転させることにより、脱臭フィルタ２３ａａの周方向におけるフィルタ再生部２３ｆで覆われる部分の脱臭能力を再生する。すなわち、空気清浄機１は、脱臭フィルタ２３ａａのフィルタ再生部２３ｆで覆われる位置の脱臭能力の再生を行いつつ、脱臭フィルタ２３ａａのフィルタ再生部２３ｆで覆われていない部分を通過する空気を脱臭する。
【００８０】
上述したように実施例の脱臭ユニット２３は、ＰＴＣヒータ２３ｂ及び放熱板２３ｃを覆って加熱空間部２３ｅｄを形成するケース２３ｅと、ケース２３ｅの外面２３ｏを覆って設けられ、外面２３ｏとの間に断熱空間Ｓ３を形成するガード部材２７と、を備える。これにより、ユーザの手がケース２３ｅの外面２３ｏに触れることを防ぐことができる。また、断熱空間Ｓ３を介してケース２３ｅの熱がガード部材２７へ伝わることが抑えられるので、ユーザの手が触れるガード部材２７の温度を下げることができる。したがって、ＰＴＣヒータ２３ｂの熱による高温部分へユーザの手が触れることを防ぐことができる。
【００８１】
また、実施例の脱臭ユニット２３が有するガード部材２７は、断熱空間Ｓ３に連通する複数の連通口２８ａを有する。これにより、断熱空間Ｓ３の熱を連通口２８ａから外部へ放出し、断熱空間Ｓ３の温度上昇を抑えることができる。
【００８２】
また、実施例の脱臭ユニット２３が有するガード部材２７の外周縁部には、ケース２３ｅの外面に接することによって断熱空間Ｓ３を形成する当接部２８ｂが設けられている。ガード部材２７の当接部２８ｂのみがケース２３ｅに接することで、ガード部材２７とケース２３ｅとの接触面積が減らされるので、ケース２３ｅの熱がガード部材２７へ伝わることが抑えられ、ガード部材２７の温度上昇を抑えることができる。したがって、ケース２３ｅ内の熱がガード部材２７の外部へ放出されることが抑えられ、ケース２３ｅ内の温度が低下することを抑えることができる。
【００８３】
また、実施例の脱臭ユニット２３において、ケースは、対向する一組の前面部ＦＳ及び背面部ＢＳと、前面部ＦＳと背面部ＢＳとを連結する上面部ＴＳと、を有する。ガード部材２７は、前面部ＦＳに対向する第１面Ｆ１と、背面部ＢＳに対向する第２面Ｆ２と、上面部ＴＳに対向する第３面Ｆ３と、を有する。これにより、相対的に高温になるケース２３ｅの上部の３つの面にわたって、ユーザの手が触れることを防ぐことができる。
【００８４】
また、実施例の脱臭ユニット２３において、ケース２３ｅとガード部材２７との間には、一定の離間距離ｄが設けられている。これにより、第１面Ｆ１、第２面Ｆ２、第３面Ｆ３にわたって連続する断熱空間Ｓ３が形成されている。これにより、所望の断熱効果を得ると共にガード部材２７をコンパクトに構成することができる。
【００８５】
また、実施例の脱臭ユニット２３において、ケース２３ｅの外面２３ｏに対向する、ガード部材２７の対向面には、外面２３ｏに向かって突出する凸部２８ｅが形成され、凸部２８ｅの先端が、外面２３ｏから離れている。これにより、ガード部材２７が変形したときであっても凸部２８ｅがケース２３ｅに接することで断熱空間Ｓ３を保つことができる。したがって、ガード部材２７に変形が生じている場合や、外力によってガード部材２７が変形した場合であっても、凸部２８ｅによって所定の断熱空間Ｓ３を確保することが可能になる。また、上述の凸部２８ｅを備えることによって、外力によりガード部材２７が外面２３ｏ側へ撓んでしまうことを抑制し、ガード部材２７が破損することを抑えることができる。
【００８６】
また、実施例の脱臭ユニット２３が有するガード部材２７は、ケース２３ｅに対して一方向（Ｚ方向）のみにスライド移動されることで、ケース２３ｅに着脱可能に設けられている。これにより、ガード部材２７をケース２３ｅに対して容易に着脱することができる。
【００８７】
また、例えば、ケース２３ｅが共通する複数種類の空気清浄機において、ユーザの手がケース２３ｅの外面２３ｏに触れるおそれがない仕様の場合にはガード部材２７が不要である。このため、ケース２３ｅに対してガード部材２７が容易に着脱可能であることにより、製造する空気清浄機の仕様に応じて、ガード部材２７を選択的に取り付けることが可能になり、生産性を高めることができる。
【００８８】
また、実施例の脱臭ユニット２３が有するガード部材２７は、互いに組み合わされる一対の第１ガード部材２７ａと第２ガード部材２７ｂを有し、第１ガード部材２７ａと第２ガード部材２７ｂの形状及び大きさが同一である。これにより、構成部品の共通化によって製造コストを抑えると共に、ガード部材２７を組み付ける際の自由度が高められるのでガード部材２７の組み付け時の作業性を高めることができる。
【００８９】
なお、必要に応じて、ガード部材２７の一部を更に他のガード部材２７が覆うように、複数種類のガード部材２７が組み合わされて用いられてもよい。また、ケース２３ｅの外面２３ｏの温度に応じて、ガード部材２７が形成する断熱空間Ｓ３の大きさ（離間距離ｄ）が変化するように構成されてもよく、ユーザの手が触れるガード部材２７の外面の温度を適宜調節することができる。さらに、ガード部材２７によってケース２３ｅの外面２３ｏを覆う範囲の広さや形状は、必要に応じて適宜変更できる。
【符号の説明】
【００９０】
１  空気清浄機
２３  脱臭ユニット（吸着ユニット）
２３ａ  脱臭フィルタ部
２３ａａ  脱臭フィルタ（フィルタ）
２３ｂ  ＰＴＣヒータ（ヒータ）
２３ｃ  放熱板
２３ｅ  ケース
２３ｅｄ  加熱空間部（加熱空間）
２３ｏ  外面
２７  ガード部材
２７ａ  第１ガード部材
２７ｂ  第２ガード部材
２８ａ  連通口（貫通穴）
２８ｂ  当接部
２８ｃ  第１係合部
２８ｄ  第２係合部
２８ｅ  凸部
ＦＳ  前面部
ＢＳ  背面部
ＴＳ  端面部
Ｆ１  第１面
Ｆ２  第２面
Ｆ３  第３面
Ｓ１  第１空間
Ｓ２  第２空間
Ｓ３  断熱空間
【図１】
2019111297.tif 000003
【図２】
2019111297.tif 000004
【図３】
2019111297.tif 000005
【図４】
2019111297.tif 000006
【図５】
2019111297.tif 000007
【図６】
2019111297.tif 000008
【図７】
2019111297.tif 000009
【図８】
2019111297.tif 000010
【図９】
2019111297.tif 000011
【図１０】
2019111297.tif 000012
【図１１】
2019111297.tif 000013
【図１２】
2019111297.tif 000014
【図１３】
2019111297.tif 000015
【図１４】
2019111297.tif 000016